(57)【特許請求の範囲】
【請求項１】
内外障子と下枠とを備え、
下枠は、内外障子の召合部における内障子の下方に位置する排水凹部を有し、
内障子は、召合框の下端にシールピースを取り付けてあり、シールピースは下枠上面に当接する室内外方向の当接片と、内障子を閉じたときに排水凹部の上方に位置する水切片とを有し、水切片は、室内外方向と、室内外方向と交差する方向に設けてあることを特徴とするサッシ。
【請求項２】
外障子と内障子と下枠とシールピースとを備え、
外障子及び内障子は、それぞれ下方に突出した垂下片を有し、
下枠は、外障子ガイド溝と、内障子ガイド溝と、外障子と内障子との召合部における内障子の下方に位置する排水凹部とを有し、
外障子ガイド溝は、外障子の垂下片をガイドするものであり、
内障子ガイド溝は、内障子の垂下片をガイドするものであり、
シールピースは、内障子の召合框の下端に取り付けてあるとともに下枠上面に当接する室内外方向の当接片と、内障子を閉じたときに排水凹部の上方に位置する水切片とを有し、水切片は、室内外方向と、室内外方向と交差する方向に設けてあることを特徴とする引違いサッシ。
【発明の詳細な説明】
【技術分野】
【０００１】
本発明は、引違いサッシ及び片引きサッシ等のサッシに関する。
【背景技術】
【０００２】
サッシの召合部には雨水が流れ込みやすく、内外障子の召合部下方に位置する排水凹部を下枠に設け、内障子召合框の下部に止水部材を取り付けることは、特許文献１に開示するように公知である。
しかし、召合部の内障子室外側には雨水が風とともに吹き込みやすく、召合框の下部に止水部材を取り付けただけでは室内漏水の原因となりやすかった。
【０００３】
【特許文献１】特開２００３−１７６６７１号公報
【発明の開示】
【発明が解決しようとする課題】
【０００４】
本発明は、内外障子の召合部から室内への漏水を防止したサッシの提供を目的とする。
【課題を解決するための手段】
【０００５】
請求項１記載に係るサッシは、内外障子と下枠とを備え、下枠は、内外障子の召合部における内障子の下方に位置する排水凹部を有し、内障子は、召合框の下端にシールピースを取り付けてあり、シールピースは下枠上面に当接する室内外方向の当接片と、内障子を閉じたときに排水凹部の上方に位置する水切片とを有し、水切片は、室内外方向と、室内外方向と交差する方向に設けてあることを特徴とする。
請求項２記載に係る引違いサッシは、請求項１記載の発明を下枠上面フラットサッシに適用したもので、外障子と内障子と下枠とシールピースとを備え、外障子及び内障子は、それぞれ下方に突出した垂下片を有し、下枠は、外障子ガイド溝と、内障子ガイド溝と、外障子と内障子との召合部における内障子の下方に位置する排水凹部とを有し、外障子ガイド溝は、外障子の垂下片をガイドするものであり、内障子ガイド溝は、内障子の垂下片をガイドするものであり、シールピースは、内障子の召合框の下端に取り付けてあるとともに下枠上面に当接する室内外方向の当接片と、内障子を閉じたときに排水凹部の上方に位置する水切片とを有し、水切片は、室内外方向と、室内外方向と交差する方向に設けてあることを特徴とする。
【発明の効果】
【０００６】
請求項１記載並びに請求項２記載の発明においては、内障子召合框の下端に取り付けたシールピースに、下枠上面に当接する室内外方向の当接片と、内障子が閉じた際に排水凹部の上方に位置する水切片を設けたために、内外障子の召合部に吹き込んできた雨水は当接片にて遮られるとともに水切片にてその下に位置する排水凹部に流し込むので室内側への止水性が高い。水切片が、室内外方向と、室内外方向と交差する方向に設けてあることで、召合部に雨水が吹き込んでくると、雨水が室内外方向の水切片に当たりその下の排水凹部に落下すると共に、室内側に回り込むように浸入しようとする雨水は、室内外方向と交差する方向の水切片に当たり排水凹部に落下するので、より効果的に水切りできる。
【発明を実施するための最良の形態】
【０００７】
本発明に係るサッシの例を以下図面に基づいて説明する。
図５にサッシの縦断面図を示し、図６に横断面図を示す。
本発明に係るサッシは、建築物の屋外開口部に用いるのに適していて、図５及び図６に示した実施例は、下枠上面に突条レールの無いバリアフリー構造になっている。
下枠３０、上枠１、左右の縦枠２とで略方形のサッシ枠を形成し、室内側に内障子１０及び室外側に外障子２０を装着し、内障子１０及び外障子２０がそれぞれ左右に開閉する引違いサッシになっている。
内障子１０及び外障子２０は、それぞれ上框１３，２３、下框１１，２１、召合框１２，２２、戸当たり框１６，２６にて障子枠を形成し、枠内にパネル１４，２４を装着している。
なお、図６に示す３は内障子の開き側ストッパーである。
【０００８】
本発明に係る引違いサッシの召合部の斜視図を図１に示し、この召合部の部分構成図を図２に示す。
図１においては、分かりやすくするために外障子を外した状態の内障子召合框の下部側のコーナー部を示す。
下枠３０は、下枠ベース部材３１の上部に複数の立上り片を設けるとともに、嵌着溝３８、３９を形成し、これに内障子用上面部材３４及び外障子用上面部材３３を嵌着して下枠上面が概ねフラットになっている。
下枠３０には、内障子ガイド溝３６と外障子ガイド溝３７とを設けてあり、この内外障子のガイド溝には図５に示すように、それぞれ内障子下框１１の室内側から下方に突出した内障子垂下片１１ａと外障子下框２１の室内側から下方に突出した外障子垂下片２１ａが挿入し、ガイドするようになっていて、下框に取り付けた戸車１５，２５にて内障子１０及び外障子２０が下枠上面上を走行する。
従って、内障子ガイド溝３６と外障子ガイド溝３７とは、上部が内外障子の垂下片１１ａ、２１ａの厚みよりも少し広いだけの狭い溝幅になっていて、内外障子の垂下片が左右にスライドするのをガイドする役割と、溝内部が幅広になっている凹部に雨水を流し込む排水溝としての役割を有している。
また、内障子ガイド溝と外障子ガイド溝の底部には、図示を省略したが適宜排水孔を設けて下枠の中空部３５ｃを経由して室外に排水する。
【０００９】
内障子ガイド溝３６と外障子ガイド溝３７の室内側の側壁には、タイト材ホルダーを設けて内障子用タイト材３６ａと外障子用タイト材３７ａを取り付けてあり、障子が閉じた際に、それぞれの垂下片の室内側に当接し、止水ラインを形成する。
内障子召合框１２の外障子側には煙返し１２ａを設けて外障子の煙返しと当接し、外障子召合框２２の室内側に当接する縦タイト材１２ｂを有している。
また、下框の室外側下端にそれぞれ下枠上面タイト材１１ｂ，２１ｂを取り付けている。
【００１０】
下枠上面がフラットであると、下枠上面に沿って内障子と外障子との室外側召合部に雨水が吹き込みやすい。
そこで、図４及び図５に示すように、召合部における内障子の下方に位置する下枠上面に排水凹部３５及びこの排水凹部の底部に凹部排水孔３５ａを設けてあり、内障子召合框の下端部には止水用のシールピース４０を取り付けてある。
【００１１】
シールピース４０は、図１及び図２に示すように、内障子召合框１２の中空部に挿入するベース部４４から下方に向けて垂下し下枠上面に当接する室内外方向の当接片４１を有している。
当接片４１は、図１及び図３に示すようにヒレ状の複数枚からなる弾性体になっていて、内障子垂下片１１ａに連続するようにシールピースの室内側に設けたシールピース垂下片４５の室外側と、外障子召合框の室内側とにわたって下枠上面に当接するように配置してある。
シールピース４０は、この当接片４１と交差する方向であって排水凹部３５の上方に位置する障子走行方向水切片４２ａと、図３（ｂ）に示すように排水凹部３５の上方に位置した室内外方向水切片４２ｂを有している。
障子走行方向水切片４２ａは、先端部が排水凹部３５側に向くようにベース部４４側から障子走行方向に突出していて、当接片４１と交差する方向（室内外方向水切片４２ｂと交差する方向）であれば、必ずしも直角方向である必要が無く、室内外方向斜めに突出していてもよい。
また、障子走行方向水切片４２ａは、図１に示すように、内障子下框１１の室外側下端に取り付けてある下枠上面タイト材１１ｂと重なるように当接又は近設している。
室内外方向水切片４２ｂは、当接片４１のように下枠上面に当接しているものではなく、当接片よりも下側に短くてもよいが、その室内外方向の幅は、排水凹部の室内外方向幅以上に有しているのが水切りに効果的である。
また、シールピース４０の室外側には内障子召合框室外側と外障子召合框室内側との間を止水する召合框当接片４３を有している。
【００１２】
次に、召合部に風とともに吹き込んだ雨水の流れを説明する。
図６に矢印で示したように、室外側から下枠上面に沿って召合部に風とともに雨水が吹き込むと、図３及び図５に示すように、シールピース４０に設けた室内外方向水切片４２ｂに当たり、その下の排水凹部に落下し、室内側に回り浸入しようとする雨水は、内障子下框１１の下枠上面タイト材１１ｂと障子走行方向水切片４２ａに当たり、その下の排水凹部３５に落下する。
この内障子下框１１の下枠上面タイト材１１ｂにも水切り効果があり、障子走行方向水切片４２ａを当接又は、近くに配設することで、より効果的に水切りする。
落下した雨水は、排水凹部３５からその下の凹部排水孔３５ａを経由して下枠の中空部３５ｃに流れ込み、逆止弁の設けた室外排水孔３５ｂから室外に排水される。
【００１３】
図４に示すように、本実施例では、下枠には水返し部材５０を取り付けてあり、水返し部材５０は、外障子ガイド溝３７の底部に取り付けるための基台５１から上方に立ち上がる中央の水返し片５２と見付方向両端側の立上り片５３ａ、５３ｂを有している。
この水返し部材５０は、下枠の外障子ガイド溝３７の室内側に設けたタイト材ホルダー３７ｂ及び室内側側壁を切り欠いて形成した切欠部に水返し片が配置するように基台５１を外障子ガイド溝３７の底部に取り付けてある。
なお、切欠部に水返し片５２を配置するものであれば、水返し部材５０の取付位置は、外障子ガイド溝３７の底部には限定されない。
水返し片５２は、室内外方向に幅広で幅広の面が下枠の長手方向と直交する方向を向いており、外障子ガイド溝３７に沿って吹き込んできた雨水の多くを排水凹部の室外側で遮る。
また水返し部材５０の見付方向両端側の立上り片はそれぞれタイト材ホルダーの切欠部に位置し、タイト材ホルダー端部に当接する端面当接部５３ａ、５３ｂを有している。
障子が閉じた際に外障子が存在しない部分（図４においては水返し部材の左側）は室外になるので外障子ガイド溝３７に沿って雨水が召合部に吹き込んでくる恐れが高い。
特に風が強いときには召合部の排水凹部３５に吹き込む量が多くなるが、外障子ガイド溝の室内側に隣設した排水凹部の室外側よりに水返し部材５０を取り付けてあり、水返し部材の水返し片５２は室内外方向に幅広の水返し面を有しているので、排水凹部に浸入した雨水の多くは水返し面に当って下方に落下し、室内側に浸入することが防止される。
水返し片５２は、室外から矢印の方向に沿って吹き込んでくる雨水を室内側の排水凹部の外に出ることを防ぐものであり、水返し片５２の立ち上がり高さは、内障子の走行の障害にならない範囲で下枠上面より上方に突出していてもよく、水返し片５２の見付け方向の位置は、排水凹部見付け方向の中央部がよい。
また、水返し片５２の見込み方向の位置は、図５に示すように排水凹部３５の室外側よりが最も効果的である。
排水凹部の雨水は、嵌着溝３８の底部適宜位置に設けた排水孔から排水されるが、図５に示すように排水凹部３５の底部に凹部排水孔３５ａを設けると効率的に中空部３５ｃに流れ込み、室外排水孔３５ｂより室外に排水される。
また、タイト材ホルダーの端面当接部５３ａは、タイト材ホルダーの端部をふさいでいるのでタイト材ホルダー３７ｂとタイト材３７ａとの隙間に沿って室内側に雨水が浸入するのを防止する。
【００１４】
図７に他の実施例を示す。
下枠１３０は、内側基板１３４とこの内側基板から上方に突出する内障子用走行レール１３８を有している。
内側基板の室外側には、タイト材ホルダーを設けてタイト材１３７ａを取り付けてある。
内障子１１０は、下框１１１の内部に設けた戸車（表示を省略）で内障子用走行レール上を走行するようになっていて、内障子が閉じた際に召合部に位置して下枠に排水凹部１３５を設けてある。
内障子の召合框１１２の下端には、シールピース１４０を取り付けてあり、シールピース１４０は、下枠の内側基板に当接する室内外方向の当接片１４１と、排水凹部の上方に位置する室内外方向の室内外方向水切片１４２ｂ及び当接片１４１と交差する方向の見付方向水切片１４２ａを有している。
室外から召合部に雨水が吹き込んでくると、雨水が室内外方向水切片１４２ｂに当たり、その下の排水凹部に落下し、室内側に回り込むように浸入しようとする雨水は、見付方向水切片１４２ａに当たり排水凹部に落下し、室外に排水される。
図１及び図７に示した実施例は、いずれも本発明を引違いサッシに適用した例であるが、召合部に排水凹部を有するものであれば、外障子をストッパー等で固定した内外障子からなる片引きサッシ等の各種サッシに適用でき、実施例に限定されるものではない。
【図面の簡単な説明】
【００１５】
【図１】本発明に係るサッシの召合部の斜視図を示す。
【図２】召合部分の分解図を示す。
【図３】排水凹部と水切片との位置関係を示す。
【図４】排水凹部に水返し部材を取り付けた例を示す。
【図５】本発明に係るサッシの縦断面図を示す。
【図６】本発明に係るサッシの横断面図を示す。
【図７】本発明に係るサッシの他の実施例を示す。
【符号の説明】
【００１６】
１０    内障子
１１    内障子下框
１１ａ  内障子垂下片
１２    内障子召合框
３０    下枠
３５    排水凹部
３６    内障子ガイド溝
３７    外障子ガイド溝
４０    シールピース
４１    当接片
４２ａ、４２ｂ  水切片
【図１】
0004627245.tif 000002
【図２】
0004627245.tif 000003
【図３】
0004627245.tif 000004
【図４】
0004627245.tif 000005
【図５】
0004627245.tif 000006
【図６】
0004627245.tif 000007
【図７】
0004627245.tif 000008